(57)【要約】【課題】光学的に情報が書き換え可能な情報記録面を有する光ディスクに対して、オーバーライト特性による変調度のばらつきが安定した記録パワー及び変調度の範囲を決定する方法及び装置、また前記記録パワーの範囲で決定されたディスク情報を有する光ディスクを提供する。【解決手段】記録パワー及びトラックを固定して、信号データの記録及び再生をｎ回（ｎは２以上の整数）繰り返して変調度をｎ回検出し、ｎ個の変調度データにより変調度の平均値及びばらつきを算出する動作を、記録パワー及びトラックを変更しながらｍ回（ｍは２以上の整数）実施し、ｍ回測定された変調度ばらつきにおいて、変調度ばらつきが安定している記録パワー及び変調度の範囲を決定する。また、前記記録パワーの範囲内で選択された記録パワー及び変調度のディスク情報を光ディスクに記載する。【選択図】図１４
2007172693.tif 000002
【特許請求の範囲】
【請求項１】
記録トラックを有する書き換え可能な光ディスクであって、
記録パワーを変化させ、各記録パワーに対して任意の記録トラックを固定して記録信号を記録し、記録された記録トラックを再生し、再生信号の信号品質を表す指標値Ａを検出するオーバーライト動作を繰り返すことにより、各記録パワーに対する指標値Ａのばらつきを検出し、
前記指標値Ａのばらつきが減少する記録パワー範囲と増加する記録パワー範囲の間に挟まれる記録パワー範囲内で決定された記録パワーのデータが記載されていることを特徴とする光ディスク。
【請求項２】
記録トラックを有する書き換え可能な光ディスクに情報を記録し、前記光ディスクに記録された情報を再生する記録再生方法であって、
特定の記録パワーの範囲をｍ個（ｍは２以上の整数）に分割し、ｍ個の記録パワーに対して各々記録トラックを固定とし、記録信号を記録し、記録された記録トラックを再生し、再生信号の信号品質を表す指標値Ａを検出する動作を繰り返し回数ｎ回（ｎは２以上の整数）実施して、検出されるｎ個の指標値Ａに対するばらつきをｍ個算出し、ｍ個の前記指標値Ａのばらつきに対して所定値Ｃａ以下となる記録パワーあるいは指標値Ａの範囲が決定されることを特徴とする記録再生方法。
【請求項３】
前記繰り返し回数ｎは、任意の記録トラックを固定して記録信号を記録し、記録された記録トラックを再生し、再生信号の信号品質を表す指標値Ｂを検出する動作を繰り返して、検出される指標値Ｂが前記指標値Ｂに対する所定値Ｃｂ１以上となる記録回数で決定されることを特徴とする請求項２記載の記録再生方法。
【請求項４】
記録信号を記録し、記録された記録トラックを再生して検出される前記指標値Ｂが、前記指標値Ｂに対する所定値Ｃｂ２以下となるまで、記録トラックを交替させ、検出される前記指標値Ｂが前記所定値Ｃｂ２以下となる記録トラックを前記任意の記録トラックとすることを特徴とする請求項３記載の記録再生方法。
【請求項５】
前記所定値Ｃｂ２は、前記所定値Ｃｂ１以下であることを特徴とする請求項４記載の記録再生方法。
【請求項６】
前記指標値Ｂの検出時、及び前記指標値Ａの検出時で使用する記録トラックは、別の記録トラックであることを特徴とする請求項３〜５のいずれか１項に記載の記録再生方法。
【請求項７】
前記指標値Ｂの検出時で使用する記録信号はランダム信号、前記指標値Ａの検出時で使用する記録信号は少なくとも最長マークを含む記録信号であり、なおかつ前記指標値Ｂはジッタまたはエラーレート、前記指標値Ａは変調度であることを特徴とする請求項３〜６のいずれか１項に記載の記録再生方法。
【請求項８】
前記指標値Ｂの検出時で使用する記録信号はランダム信号、前記指標値Ａの検出時で使用する記録信号は少なくとも最短マーク及び最長マークを含む記録信号であり、なおかつ前記指標値Ｂはジッタまたはエラーレート、前記指標値Ａはアシンメトリであることを特徴とする請求項３〜６のいずれか１項に記載の記録再生方法。
【請求項９】
前記指標値Ｂの検出時、及び前記指標値Ａの検出時における隣接トラックに対する記録動作の有無は同一であることを特徴とする請求項３〜８のいずれか１項に記載の記録再生方法。
【請求項１０】
前記記録パワーの範囲内で少なくとも１つ以上の記録パワー、あるいは前記ｎ個の指標値Ａに対する平均値が選択されることを特徴とする請求項２〜９のいずれか１項に記載の記録再生方法。
【請求項１１】
請求項１０の記録再生方法により選択された少なくとも１つ以上の記録パワー、あるいは前記ｎ個の指標値Ａに対する平均値をディスク内に予め記録した光ディスク。
【請求項１２】
記録トラックを有する書き換え可能な光ディスクに情報を記録し、前記光ディスクに記録された情報を再生する記録再生装置であって、
前記光ディスクに照射されるレーザ光を制御し、前記記録トラックに記録信号を記録する記録手段と、
前記記録トラックを交替するトラック交替手段と、
前記記録トラックを再生し、再生信号の信号品質を表す指標値を検出する指標値検出手段と、
前記指標値を記憶するデータ記憶手段と、
前記指標値に対してばらつきを算出するデータ処理手段と、
各種制御部をコントロールする光ディスクコントローラを備え、
特定の記録パワーの範囲をｍ個（ｍは２以上の整数）に分割し、ｍ個の記録パワーに対して各々記録トラックを固定とし、前記記録手段及び前記指標値検出手段を繰り返し回数ｎ回（ｎは２以上の整数）実施して、前記データ記憶手段により検出されるｍ×ｎ個の指標値Ａを記憶させ、前記データ処理手段により前記記憶されたｎ個の指標値Ａに対するばらつきをｍ個算出し、ｍ個の前記指標値Ａのばらつきに対して所定値Ｃａ以下となる記録パワーあるいは指標値Ａの範囲が決定されることを特徴とする記録再生装置。
【請求項１３】
前記光ディスクコントローラは、任意の記録トラックを固定して前記記録手段及び前記指標値検出手段を交互に繰り返して、検出される再生信号の信号品質を表す指標値Ｂが、前記指標値Ｂに対する所定値Ｃｂ１以上となる記録回数で決定されることを特徴とする請求項１２記載の記録再生装置。
【請求項１４】
前記記録手段及び前記指標値検出手段により検出される前記指標値Ｂが、前記指標値Ｂに対する所定値Ｃｂ２以下となるまで、前記トラック交替手段により記録トラックを交替させ、検出される前記指標値Ｂが前記所定値Ｃｂ２以下となる記録トラックを前記任意の記録トラックとすることを特徴とする請求項１３記載の記録再生装置。
【請求項１５】
前記所定値Ｃｂ２は、前記所定値Ｃｂ１以下であることを特徴とする請求項１４記載の記録再生装置。
【請求項１６】
前記指標値Ｂの検出時、及び前記指標値Ａの検出時で使用する記録トラックは、別の記録トラックであることを特徴とする請求項１３〜１５のいずれか１項に記載の記録再生装置。
【請求項１７】
前記指標値Ｂの検出時で使用する記録信号はランダム信号、前記指標値Ａの検出時で使用する記録信号は少なくとも最長マークを含む記録信号であり、なおかつ前記指標値Ｂはジッタまたはエラーレート、前記指標値Ａは変調度であることを特徴とする請求項１３〜１６のいずれか１項に記載の記録再生装置。
【請求項１８】
前記指標値Ｂの検出時で使用する記録信号はランダム信号、前記指標値Ａの検出時で使用する記録信号は少なくとも最短マーク及び最長マークを含む記録信号であり、なおかつ前記指標値Ｂはジッタまたはエラーレート、前記指標値Ａはアシンメトリであることを特徴とする請求項１３〜１６のいずれか１項に記載の記録再生装置。
【請求項１９】
前記指標値Ｂの検出時、及び前記指標値Ａの検出時における隣接トラックに対する記録動作の有無は同一であることを特徴とする請求項１３〜１８のいずれか１項に記載の記録再生装置。
【請求項２０】
前記データ処理手段はさらに指標値に対する平均値を算出する機能を有し、前記記録パワーの範囲内で少なくとも１つ以上の記録パワー、あるいは前記データ処理手段により算出される前記ｎ個の指標値Ａに対する平均値が選択されることを特徴とする請求項１２〜１９のいずれか１項に記載の記録再生装置。
【発明の詳細な説明】
【技術分野】
【０００１】
本発明は、光学的に情報が書き換え可能な情報記録面を有する光ディスク、また前記光ディスクに対する記録再生方法及び記録再生装置に関し、特にオーバーライト特性による変調度のばらつきが安定した記録パワー及び変調度の範囲を決定する方法及び装置、また前記記録パワーの範囲で決定されたディスク情報を有する光ディスクに関する。
【背景技術】
【０００２】
現在、ＤＶＤレコーダーなどの光ディスク記録装置は、光ディスク製造時におけるロットばらつき、光ディスク記録装置におけるレーザ波長や受光素子感度などの光ヘッドばらつきなどの個体差による光ディスクに対する記録感度の低下を防ぐために、光ディスクの脱着時などに記録条件の校正動作を行っている。校正とはユーザデータの信号品質を確保するために、記録パワーあるいはパルス形状などの最適化を行う制御である。
【０００３】
一般的な記録校正動作として、記録パワー校正動作の一例を説明する。はじめに、図１に光ディスクを構成する領域を示す。図１のように、光ディスク１００は主にユーザデータ領域１０１、ＰＣＡ領域（Ｐｏｗｅｒ  Ｃａｌｉｂｒａｔｉｏｎ  Ａｒｅａ）１０２、ＰＩＣ（Ｐｅｒｍａｎｅｎｔ  Ｉｎｆｏｒｍａｔｉｏｎ  ａｎｄ  Ｃｏｎｔｒｏｌ  ｄａｔａ）領域１０３、及びドライブ固有情報格納領域１０４により構成される。ユーザデータ領域１０１は、光ディスク記録装置がデータ情報を記録する領域である。ＰＣＡ領域１０２はユーザデータ領域１０１の内周部に設けられ、光ディスク記録装置がテスト記録を行うことが可能な領域である。ＰＩＣ領域１０３は、記録パワーやパルス幅、記録容量などのディスク情報が記載されている。ドライブ固有情報格納領域１０４は、ドライブ識別情報とドライブ固有の情報が格納される領域であり、例えば下記で説明する記録パワー校正動作時で得られる記録パワーなどの情報を記録することができる。
【０００４】
そのため、光ディスク記録装置は、ＰＩＣ領域１０３によりディスク情報を取得し、ＰＣＡ領域１０２において前記ディスク情報に従いテスト記録を行っている。具体的には、光ディスク記録装置はＰＣＡ領域１０２において、ＰＩＣ領域１０３に記載されている記録パワーを基準として段階的に記録パワーを変化させながら記録及び再生動作を行い、図２に示す記録パワーに対する変調度特性を検出する。図２のように、ＰＩＣ領域１０３に記載されている変調度Ｍｉｎｄとなる記録パワーをＰｋとした場合、最適な記録パワーＰｂｅｓｔは（式１）により求められる。
【０００５】
Ｐｂｅｓｔ＝Ｐｋ＊ρ・・・（式１）
ここで、ρはＰＩＣ領域１０３に記載され、最適な記録パワーを変調度Ｍｉｎｄとなる記録パワーにより算出するための定数である。なお、変調度Ｍｉｎｄとなる記録パワーＰｉｎｄに関してもＰＩＣ領域１０３に記載されているが、実際は上記種々のばらつきにより、記録パワーＰｋは必ずしも記録パワーＰｉｎｄと一致して検出されない。
【０００６】
また、変調度の算出に関して図３を用いて補足する。図３において、Ｖｒｅｆ３０１は光ディスクからの反射光量が全くない状態での信号レベルであり、変調度を算出する際の基準レベルとなる。また、ＶＨ３０２は前記Ｖｒｅｆ３０１からの再生信号の最大値、ＶＬ３０３は前記Ｖｒｅｆ３０１からの再生信号の最小値である。このとき、変調度ｍｏｄは（式２）により求められる。
【０００７】
ｍｏｄ＝（ＶＨ−ＶＬ）／ＶＨ・・・（式２）
このようにして、光ディスク記録装置は、記録パワーに対する変調度特性及びＰＩＣ領域１０３に記載されているディスク情報によりユーザデータ領域１０１で記録するための最適な記録パワーをＰＣＡ領域１０２で決定することができる。なお、この記録パワー校正動作は、一般的にＯＰＣ（Ｏｐｔｉｍｕｍ  Ｐｏｗｅｒ  Ｃｏｎｔｒｏｌ）動作と呼ばれている。また、ＰＣＡ領域１０２では、記録パワーの調整だけではなく、フォーカスやトラッキングなどのサーボ調整、記録パルス波形の調整なども行うことができる。
【０００８】
前記ＯＰＣ動作を活用した従来技術例として、特開２００３−６７９２５号公報、特開２００４−１９９７５６号公報などがある。特開２００３−６７９２５号公報では、記録パワーを種々変化させてテスト記録を行い、記録パワーに対する変調度の変化傾向が変化する変曲点を抽出し、変曲点に対応する記録パワーに所定値を乗ずることにより最適な記録パワーを算出する技術である。
【０００９】
特開２００４−１９９７５６号公報では、変調度特性に対してγ法と呼ばれる方法を考慮することにより、最適な記録特性を得ることを可能とするディスク情報を決定し、前記ディスク情報を光ディスク上に記録する技術例である。
【特許文献１】特開２００３−６７９２５号公報
【特許文献２】特開２００４−１９９７５６号公報
【発明の開示】
【発明が解決しようとする課題】
【００１０】
ＢＤ−ＲＥなどの書き換え可能な光ディスクでは、ユーザデータ領域１０１やＰＣＡ領域１０２におけるトラックはオーバーライトにより複数回使用される。しかし、光ディスクの層構成や使用媒質などにより、光ディスクの記録層にオーバーライト特性が存在する場合などでは、オーバーライト回数すなわちトラックの使用回数により、変調度やアシンメトリなどの信号品質が変化することになる。
【００１１】
オーバーライト回数による変調度変化を例にとり説明する。図４は、６パターンの記録パワーに対してＰＣＡ領域１０２におけるトラックを各々固定にして、単一信号をｎ回（ｎ＝１，１００，２００，３００）オーバーライトした変調度結果を示す。このとき、ＰＩＣ領域１０３記載の変調度Ｍｉｎｄを５０％と仮定した場合、変調度５０％となる記録パワーＰｋは約４．１から４．３ｍＷまでの範囲で変化する。これは、オーバーライト回数によって記録パワーＰｋが約５％の範囲でパワー変化することを示している。従って、（式１）により算出される最適な記録パワーＰｂｅｓｔに関しても、約５％の範囲でパワー変化することになる。また従来技術（特開２００３−６７９２５号公報）のように変調度の変化傾向を利用する場合においても、図４での記録回数１回（白丸の曲線）と記録回数３００回（黒丸の曲線）のように変調度の変化傾向が異なると、最適なパワーが変動することになる。
【００１２】
このように、ＰＣＡ領域１０２においてＰＩＣ領域１０３記載の記録パワーと変調度の関係を用いて最適な記録パワーを決定する際に、オーバーライト回数により記録パワーに対する変調度が正確に検出されず、決定される最適な記録パワーは所望の最適な記録パワーに対して高低する可能性がある。また、ディスク情報を決定する際にも、オーバーライト特性を考慮せずに、変調度のばらつきが大きい記録パワー範囲でディスク情報を決定すると、最適な記録パワーがばらついて収束することになる。これは変調度を用いた最適な記録パワーを決定する動作に共通する課題である。
【００１３】
本発明は、オーバーライト回数に対して検出される変調度のばらつきがより安定している変調度及び記録パワー範囲の決定方法及び装置、また前記決定方法の範囲内で選択されたディスク情報が記載されている信頼性の高い光ディスク媒体を提供することを目的とする。
【課題を解決するための手段】
【００１４】
上記した目的を達成するために、本発明の光ディスクは、記録トラックを有する書き換え可能な光ディスクであって、記録パワーを変化させ、各記録パワーに対して任意の記録トラックを固定して記録信号を記録し、記録された記録トラックを再生し、再生信号の信号品質を表す指標値Ａを検出するオーバーライト動作を繰り返すことにより、各記録パワーに対する指標値Ａのばらつきを検出し、前記指標値Ａのばらつきが減少する記録パワー範囲と増加する記録パワー範囲の間に挟まれる記録パワー範囲内で決定された記録パワーのデータが記載されていることを特徴とする。
【００１５】
本発明の記録再生方法は、記録トラックを有する書き換え可能な光ディスクに情報を記録し、前記光ディスクに記録された情報を再生する記録再生方法であって、特定の記録パワーの範囲をｍ個（ｍは２以上の整数）に分割し、ｍ個の記録パワーに対して各々記録トラックを固定とし、記録信号を記録し、記録された記録トラックを再生し、再生信号の信号品質を表す指標値Ａを検出する動作を繰り返し回数ｎ回（ｎは２以上の整数）実施して、検出されるｎ個の指標値Ａに対するばらつきをｍ個算出し、ｍ個の前記指標値Ａのばらつきに対して所定値Ｃａ以下となる記録パワーあるいは指標値Ａの範囲が決定されることを特徴とする。
【００１６】
本発明の記録再生装置は、記録トラックを有する書き換え可能な光ディスクに情報を記録し、前記光ディスクに記録された情報を再生する記録再生装置であって、前記光ディスクに照射されるレーザ光を制御し、前記記録トラックに記録信号を記録する記録手段と、前記記録トラックを交替するトラック交替手段と、前記記録トラックを再生し、再生信号の信号品質を表す指標値を検出する指標値検出手段と、前記指標値を記憶するデータ記憶手段と、前記指標値に対してばらつきを算出するデータ処理手段と、各種制御部をコントロールする光ディスクコントローラを備え、特定の記録パワーの範囲をｍ個（ｍは２以上の整数）に分割し、ｍ個の記録パワーに対して各々記録トラックを固定とし、前記記録手段及び前記指標値検出手段を繰り返し回数ｎ回（ｎは２以上の整数）実施して、前記データ記憶手段により検出されるｍ×ｎ個の指標値Ａを記憶させ、前記データ処理手段により前記記憶されたｎ個の指標値Ａに対するばらつきをｍ個算出し、ｍ個の前記指標値Ａのばらつきに対して所定値Ｃａ以下となる記録パワーあるいは指標値Ａの範囲が決定されることを特徴とする。
【００１７】
ここで、前記繰り返し回数ｎは、任意の記録トラックを固定して記録信号を記録し、記録された記録トラックを再生し、再生信号の信号品質を表す指標値Ｂを検出する動作を繰り返して、検出される指標値Ｂが前記指標値Ｂに対する所定値Ｃｂ１以上となる記録回数で決定されることを特徴とする。
【００１８】
前記任意の記録トラックは、記録信号を記録し、記録された記録トラックを再生して検出される前記指標値Ｂが、前記指標値Ｂに対する所定値Ｃｂ２以下となるまで、記録トラックを交替させ、検出される前記指標値Ｂが前記所定値Ｃｂ２以下となる記録トラックを前記任意の記録トラックとすることを特徴とする。
【００１９】
前記所定値Ｃｂ２は、前記所定値Ｃｂ１以下であることを特徴とする。
【００２０】
また、前記指標値Ｂの検出時、及び前記指標値Ａの検出時で使用する記録トラックは、別の記録トラックであることを特徴とする。
【００２１】
前記指標値Ｂの検出時で使用する記録信号はランダム信号、前記指標値Ａの検出時で使用する記録信号は少なくとも最長マークを含む記録信号であり、なおかつ前記指標値Ｂはジッタまたはエラーレート、前記指標値Ａは変調度であることを特徴とする。あるいは、前記指標値Ｂの検出時で使用する記録信号はランダム信号、前記指標値Ａの検出時で使用する記録信号は少なくとも最短マーク及び最長マークを含む記録信号であり、なおかつ前記指標値Ｂはジッタまたはエラーレート、前記指標値Ａはアシンメトリであることを特徴とする。
【００２２】
前記指標値Ｂの検出時、及び前記指標値Ａの検出時における隣接トラックに対する記録動作の有無は同一であることを特徴とする。
【００２３】
前記記録パワーの範囲内で少なくとも１つ以上の記録パワー、あるいは前記ｎ個の指標値Ａに対する平均値が選択されることを特徴とする。さらに、本発明の光ディスクは、選択された少なくとも１つ以上の記録パワー、あるいは前記ｎ個の指標値Ａに対する平均値をディスク内に予め記録した光ディスクであることを特徴とする。
【発明の効果】
【００２４】
オーバーライト回数による変調度ばらつきが少ない変調度範囲を決定することができ、ＯＰＣ動作によって得られる記録パワーの収束性を向上させることができる。
【発明を実施するための最良の形態】
【００２５】
以下本発明の実施の形態について、図面を参照しながら説明する。書き換え可能な光ディスクの具体例としてＢｌｕ−ｒａｙ  Ｄｉｓｃ  Ｒｅｗｒｉｔａｂｌｅ（以下ＢＤ−ＲＥ）の単層を用いて、ＢＤ−ＲＥの記録再生装置で変調度範囲を求める例について説明する。
【００２６】
ＢＤ−ＲＥの記録層は、スパイラル状の複数のトラック（図示せず）を有する。前記トラックはランド・グルーブ構造（図示せず）とし、本実施の形態ではグルーブ部に所定の変調則、例えば（１，７）変調符号で記録した情報を記録マークとして記録する。そのため、本実施の形態における図中でのトラックの説明は主としてグルーブ部を指し、ランド部は省略する。記録マークの形成は、レーザ光の記録パワーにより記録層の材料を光学特性に変化させて行う。ここで本実施の形態では、レーザ光の照射により記録層の材料の光学特性が変化すれば良く、記録層の材料（相変化材料、有機色素膜など）は限定されない。また本実施の形態では、トラック１周を記録単位とするが、トラック１周の長さよりも短い領域（例えばアドレス単位）を記録単位としても構わない。
【００２７】
図５に、本実施の形態における記録パルス波形及び記録パワーの説明図を示す。図５（ａ）は、記録データ作成時の基準信号となるチャネルクロックの周期Ｔｗであり、前記周期Ｔｗにより図５（ｂ）に示す記録信号ＮＲＺＩ（Ｎｏｎ  Ｒｅｔｕｒｎ  ｔｏ  Ｚｅｒｏ  Ｉｎｖｅｒｔｉｎｇ）の記録マーク及びスペースの時間間隔が決定する。図５（ｃ）は、記録マークを形成するためのレーザ光のマルチパルス列である。マルチパルス列の記録パワーＰｗは、記録マーク形成に必要となる加熱Ｐｐパワー５０１及び冷却Ｐｂパワー５０３、及び既存の記録マークを消去してスペース部を形成するために必要となる消去Ｐｅパワー５０２により構成され、前記Ｐｐパワー５０１、Ｐｅパワー５０２及びＰｂパワー５０３はレーザ光の消光時に検出される消光レベル５０４を基準レベルとして設定される。また、パルス幅に関して、先頭のパルス幅Ｔｔｏｐは２Ｔ、３Ｔ及び４Ｔ以上の記録信号により各々設定され、３Ｔ以上のマルチパルス列に存在する前記Ｔｔｏｐ以降のパルス幅Ｔｍｐは同一設定とする。前記マルチパルス列の記録パワーの各値及びパルス幅などの記録時のレーザ発光条件はＰＩＣ領域１０３に記載されている。本実施の形態において記録パワーＰｗを変化させる際、パルス幅は記録パワーの変化に関係なく一定とする。従って、ＰＩＣ領域１０３記載のマルチパルス列の記録パワー及びパルス幅を再現し、記録膜にレーザ光を照射することができれば、図５（ｄ）に示すような記録マークを形成することができる。
【００２８】
なお、本実施の形態においてエラーレートを検出する際に使用する記録信号は、（１，７）変調符号のランダム信号とする。しかし、変調度を算出する記録信号は、変調符号の最長マークの単一信号、すなわち（１，７）変調符号では８Ｔ単一信号とする。８Ｔ単一信号とは、Ｔを記録クロックＴｗの１周期分の長さＴとしたとき、８Ｔマークと８Ｔスペースが交互に繰り返される信号のことである。８Ｔ単一信号を選択したのは、変調度は記録マークの大きさ特にマーク幅に依存して変化するため、マーク幅が安定した記録マークを形成しておく必要があるからである。例えば光ヘッドの光学特性のばらつきで、前記Ｔｔｏｐの立ち上がり時間の違いにより記録マーク始端部におけるマーク幅が変化する場合では、マーク全体に対するマーク幅の変化率は記録マークが短いほど大きくなる。従って、記録マークの始端部あるいは終端部においてマーク幅が変化したとしても、記録マークの長い方が記録マーク中心部では安定したマーク幅が得られるため、最長マークを使用することが最も有効となる。また、単一信号であるのは他信号との符号間干渉などの影響を避けるためと、変調度を求める際に不要な他信号によりサンプル数を減少させないためである。但し、少なくとも最長マークの８Ｔ信号を含むランダム信号、または特定パターン（例えば７Ｔ、８Ｔ信号の繰り返しパターン）による記録信号を使用しても構わない。
【００２９】
次に、オーバーライトによる記録層の膜特性の劣化と変調度ばらつきの関係について説明する。
【００３０】
書き換え可能な光ディスクでは、オーバーライト回数による再生信号の指標値（ジッタ、エラーレート、変調度など）が変化するオーバーライト特性が存在し、データ情報を書き換え可能な回数は有限となる。
【００３１】
図６に、オーバーライト特性によるエラーレートの変化例を示す。図６において、曲線６０１は光ディスクに対して最適な記録パワーＰｗａ、曲線６０２は記録パワーＰｗａよりも高出力な記録パワーＰｗｂを固定としてオーバーライトした場合におけるエラーレートの変化を表している。図６より、記録再生条件を固定したとしても、オーバーライト回数を重ねることにより、エラーレートが劣化することが分かる。これは、光ディスク内部の記録層に対して加熱及び冷却の熱変化を加え続けることにより、記録層の膜特性が劣化しているためである。そのため、曲線６０１の記録パワーＰｗａよりも高出力な記録パワーＰｗｂ、すなわちより高い熱量を記録層に照射し続ける曲線６０２の方が、エラーレートが劣化し始めるオーバーライト回数が少なくなる。
【００３２】
また、エラーレートが劣化状態における記録マークは適切なマーク形状が形成されず、マーク部とスペース部の境界部分が不鮮明となる。ここで記録膜の相変化現象としては、結晶状態から非結晶状態、あるいは非結晶状態から結晶状態への状態遷移が完全に行われない状態となる。オーバーライト特性の影響を受けない状態における記録部のＲＦ信号レベルは図７のようになるが、相変化現象が完全に行われない場合では図８のようになる。図８（ａ）では記録マークが所望のマーク形状を形成することができないためにＲＦ信号の下側が変化し、図８（ｂ）ではスペース部分が完全に未記録状態に戻らないためにＲＦ信号の上側が変化している。この場合、図８（ａ）及び図８（ｂ）における変調度は、図７の変調度に対して低下して検出されると考えることができる。その他にも、オーバーライトを続けることで、グルーブ部の幅以上の領域（グルーブ部とランド部の境界部分、さらにはランド部の一部）が非結晶状態に広がり、ＲＦ信号が変化することにより変調度が変化して検出される場合などがある。
【００３３】
従って、各記録パワーに対して記録及び変調度検出の動作をｎ回（ｎは２以上の整数で、例えばオーバーライト特性により変調度変化が確認される回数）実施した際の変調度ばらつきは図９のようになる。ここで、任意の記録パワーにおいて検出される変調度をＭｉ（ｉ＝１、２、・・・ｎ）としたとき、ｎ個の変調度データにより求められる標準偏差σｍ及び変調度の平均値Ｍａｖｅにより、変調度ばらつきはσｍ／Ｍａｖｅで表される。ここで、標準偏差σｍだけではなく、変調度の平均値Ｍａｖｅを用いるのは、各変調度の平均値に対して相対的なばらつきを検出するためである。曲線９０１は記録パワーの変化に対してのノイズによる変調度への影響、曲線９０２は記録パワーの変化に対してのオーバーライト特性による変調度への影響、及び曲線９０３は曲線９０１及び曲線９０２が複合された曲線を表している。
【００３４】
図９において、曲線９０１では、低出力側の記録パワー（記録パワー範囲Ａ）に対して変調度ばらつきが増加している。これは、図１０に示すように、低出力の記録パワーで記録再生されたＲＦ信号は信号振幅が非常に小さく、ノイズ（例えば回路ノイズ）による変調度への影響が大きくなり正確な変調度が検出されていないためである。そのため、記録パワーが高出力側になるとＲＦ信号の信号振幅が大きくなり、ノイズによる変調度への影響は減少して、変調度ばらつきは少なくなる。また、オーバーライト回数によってノイズ量は殆ど変化しないため、曲線９０１はオーバーライト回数に依存しない変調度ばらつきである。
【００３５】
なお、記録パワーが低出力であると、再生時のノイズだけではなく、記録時のレーザ制御の誤差による影響、あるいは光ディスクの周内でのチルトや記録感度特性のばらつきなどにより、変調度がばらつくこともある。
【００３６】
曲線９０２では、高出力側の記録パワー（記録パワー範囲Ｃ）に対して変調度ばらつきが増加している。これは、記録回数ｎのオーバーライトを実施したことにより、上記で説明したオーバーライト特性による検出変調度の変化が現れている。そのため、記録パワーが高出力になる程にオーバーライト特性の影響を受けて、記録回数ｎ回全体の変調度ばらつきが増加することになる。
【００３７】
従って、ノイズ及びオーバーライト特性による変調度への影響により、記録パワーに対する変調度ばらつきは図９の曲線９０３となることが分かる。曲線９０３の記録パワー範囲Ｂでは、ノイズ及びオーバーライト特性による変調度への影響が少ないために、変調度ばらつきは比較的安定している。
【００３８】
このように、各記録パワーに対する変調度ばらつきを検出し、前記変調度ばらつきが減少する記録パワー範囲と増加する記録パワー範囲の間に挟まれる記録パワー範囲内で決定された記録パワーを記録パワーＰｉｎｄとしてＰＩＣ領域１０３に記載することにより、ＯＰＣ動作を用いた最適な記録パワーをより精度良く決定することができる。
【００３９】
さらに望ましくは、以下の方法により記録パワーの範囲を決定することである。
【００４０】
変調度ばらつきが比較的安定している変調度及び記録パワー範囲の検出方法について説明する。
【００４１】
はじめに、変調度ばらつきの検出に必要なオーバーライト回数ｎを決定する動作を、図１１に示すフロー図に従って説明する。
【００４２】
まず、記録動作を行う記録パワーを設定する。本実施の形態において、記録パワー及び記録パルスの最適な記録条件は予め求まっている状態で行うため、設定される記録パワーは最適な記録パワーを適用する。
【００４３】
ＰＣＡ領域１０２における未使用のトラックにランダム信号を１回記録する。ここで、記録トラックに隣接するトラック（隣接トラック）に対する記録動作の有無は、予め決定して固定することが望ましい。これは、隣接トラックが記録・未記録の状態によるクロストークの影響でＲＦ信号レベルが変化して、検出される再生信号の指標値が異なることを避けるためである。従って、オーバーライト回数ｎを決定する記録動作と、後述の変調度ばらつきの検出を行う記録動作では、各々の記録トラックは異なるが、隣接トラック記録の有無は同一とすることが望ましい。
【００４４】
次に、記録トラックを再生してエラーレートを検出する。ここで、オーバーライト回数ｎを求める記録再生を行う前、すなわちランダム信号の記録が１回目である時点で、使用する記録トラックがオーバーライト回数ｎの探査として使用するのに必要十分な録再特性を備えているかどうかを検査しておくことが望ましい。そこで、図１１にように１回目のランダム信号の記録再生直後に、検出したエラーレートを所定値Ｃｅ１と比較する。検出したエラーレートが所定値Ｃｅ１以上であれば、オーバーライト回数を検出するための記録トラックとしては不適切と判断し、トラック移動して別の記録トラックに交替して記録トラックの録再特性を再度検査する。ここで、記録トラックを交替させても、所定値Ｃｅ１以下とならない場合の無限ループを避けるために、トラック交替回数ｔを設定することが望ましい。トラック交替回数ｔが所定回数ｔｎ（例えば５１２回）となった場合には、適切な記録トラックが検出されないと判断し、オーバーライト回数ｎの探査をエラーとして中断する。また、検出したエラーレートが所定値Ｃｅ１以下であれば、記録トラックの録再特性は必要十分であると判断し、オーバーライト回数ｎの探査を開始する。
【００４５】
オーバーライト回数ｎの探査開始後は、検出したエラーレートが所定値Ｃｅ２以上となるまでランダム信号の記録再生を繰り返して、オーバーライト回数ｎを決定する。従って、オーバーライト特性によるエラーレートの変化例と各所定値の関係は図１２のようになる。
【００４６】
また、オーバーライト回数ｎの探査を行う際に使用する指標値は、エラーレートではなくジッタを使用しても良い。この場合のフロー図は図１３となるが、検出指標がエラーレートからジッタ、所定値がＣｅ１及びＣｅ２からＣｊ１及びＣｊ２と変更されるだけであり、探査工程は全く同一である。
【００４７】
オーバーライト回数ｎの決定後に、変調度のばらつきを検出して変調度及び記録パワーの範囲を決定する動作を、図１４に示すフロー図に従って説明する。本実施の形態において、変化させる記録パワーの範囲は、オーバーライト回数ｎの探査時に使用した最適な記録パワーから低パワー側にｍ回（ｍは２以上の整数）順次減少させ、最終的に記録マークが形成されない記録パワーの範囲とする。なお、記録パワーの上限は、少なくもとオーバーライト特性の変化を確認することができるオーバーライト回数ｎの探査に使用した最適な記録パワーとする。しかし、高パワー側のばらつきをより顕著に検出するために、最適な記録パワーよりも高パワーに設定することが望ましい。なお、記録パワーの変化は低出力から高出力へのパワー変化でも良く、単調なパワー変化ではなく不規則なパワー変化でも良い。また、使用する記録トラックは全て未使用のトラックとするなどして、各記録パワーで同一条件とする。
【００４８】
図１４において、はじめに記録パワーを設定して、前記設定された記録パワーに対して８Ｔ単一信号を記録して変調度を検出する。さらに、記録トラックを固定した状態で、繰り返し回数ｉが前記オーバーライト回数ｎに達するまで、８Ｔ単一信号の記録及び変調度検出を繰り返す。繰り返し回数ｉがオーバーライト回数ｎに達したときに、ｎ個の変調度データにより変調度の平均Ｍａｖｅ及びばらつきσｍ／Ｍａｖｅが算出され、使用した記録パワーに対する変調度ばらつきのデータとしてデータ記憶部に記憶される。異なる記録パワーに関しても、記録トラック及び記録パワーを変化させることで同様に、オーバーライト回数に対する変調度のばらつきσｍ／Ｍａｖｅを検出することができる。その結果、検出された各記録パワーに対して各々オーバーライト回数に対する変調度のばらつきが求められ、データ記憶部に全て記憶される。最後に、図１５に示すように変調度のばらつきが所定値Ｃｍ以下となる記録パワーの範囲を決定する。
【００４９】
このようにして、変調度のばらつきがより安定している記録パワー範囲を決定することができ、変調度の数値としては前記変調度の平均Ｍａｖｅとして決定することができる。従って、変調度のばらつきが安定している記録パワー範囲で、ＯＰＣ動作を行うことにより記録パワーの収束性を向上させることができる。
【００５０】
従来例で説明したように、ＰＩＣ領域１０３には変調度Ｍｉｎｄ、及び変調度Ｍｉｎｄとなる記録パワーＰｉｎｄが記載されている。そのため、前記記録パワー範囲内から選択された少なくとも１つ以上の記録パワーあるいは変調度Ｍａｖｅを、前記記録パワーＰｉｎｄあるいは前記変調度Ｍｉｎｄに適用することにより、ディスク情報の信頼性を向上させることができる。例えば、記録パワー範囲の上限パワーＰｍａｘ及び下限パワーＰｍｉｎとした場合、選択される記録パワーは前記上限パワーＰｍａｘと前記下限パワーＰｍｉｎの平均パワー値で求められ、記録パワーＰｉｎｄとする。さらに前記平均パワー値で記録再生される変調度Ｍａｖｅを変調度Ｍｉｎｄとする。なお、平均パワー値による変調度Ｍａｖｅが検出されていない場合は、平均パワー値の上下で、かつ最も平均パワー値に近接する記録パワー及び変調度Ｍａｖｅのデータにより、変調度Ｍｉｎｄを近似計算することも可能である。ここで、前記記録パワーＰｉｎｄ及び前記変調度Ｍｉｎｄへの適用とは、光ディスクの製造段階における記録パワー値及び変調度値の数値データのみの変更であり、特にＰＩＣ領域１０３への物理的及び論理的な記載方法に対する変更はない。また、前記少なくとも選択された１つ以上の記録パワーあるいは変調度Ｍａｖｅを、ユーザデータ領域１０１やドライブ固有情報格納領域１０４などの記録可能な領域に記録しても構わない。
【００５１】
各所定値の具体的な数値について説明する。
【００５２】
最適な記録条件でランダム信号を１回記録した場合、通常エラーレートはゼロあるいは非常に低い値となる。しかし、ディフェクト（ディスクに付着する埃や傷）が存在したり、記録膜の記録特性自体が良好ではない場合が想定される。そこで、本実施の形態では、ランダム信号を１回記録してトラックの判定を行う際に用いられる所定値Ｃｅ１を、ＢＤ−ＲＥ規格書に記載されているＳＥＲ値２．０Ｅ−４（Ｓｙｍｂｏｌ  Ｅｒｒｏｒ  Ｒａｔｅ）とすることが好ましい。従って、ＳＥＲ値が２．０Ｅ−４以上となる場合では、ＢＤ−ＲＥ規格を満足できないディスクと判断し、不必要なオーバーライト回数の探査を中止することができる。所定値Ｃｅ２に関しては、所定値Ｃｅ１以上であり、オーバーライト特性により正確な記録マークが形成されないと判断することができるエラーレート値であれば良く、例えばＳＥＲ値を２．０Ｅ−２とする。なお、所定値Ｃｅ２は、所定値Ｃｅ１に対して任意の実数値を乗算したエラーレートを設定しても構わない。また、エラーレートはＳＥＲに限定されず、ｂＥＲ（ｂｉｔ  Ｅｒｒｏｒ  Ｒａｔｅ）やＢＥＲ（Ｂｙｔｅ  Ｅｒｒｏｒ  Ｒａｔｅ）など他のエラーレートでも構わない。
【００５３】
検出指標がエラーレートではなくジッタの場合に関しても同様に、所定値Ｃｊ１はＢＤ−ＲＥ規格書に記載されているジッタ値６．５％とすることが好ましい。所定値Ｃｊ２に関しても、所定値Ｃｊ１以上となり、オーバーライト特性により正確な記録マークが形成されないと判断することができるジッタ値であれば良く、例えばジッタ値を１０．０％とする。なお、所定値Ｃｊ２は、所定値Ｃｊ１に対して任意の実数値を加算したジッタ値を設定しても構わない。
【００５４】
また、予め記録膜の記録特性が良好であると認識がある場合では所定値Ｃｅ１、Ｃｅ２、Ｃｊ１、及びＣｊ２の数値を下げるなどして、記録膜の記録特性に応じて上記所定値を変化させても良い。
【００５５】
さらに、所定値Ｃｍに関しては、記録時における記録パワーの制御誤差、あるいは記録トラックの再生時における信号検出誤差などにより測定ばらつきが約４％程度存在するため、所定値Ｃｍを４％とする。但し、全ての評価装置に関して、測定ばらつきが４％にならないため、最適な記録パワーで求めた変調度ばらつきの結果を所定値Ｃｍとしても構わない。この場合、ｎ個の変調度データにより変調度ばらつきを求めると、オーバーライト特性を含んだ判定値となり、変調度ばらつきが大きい記録パワー範囲を決定することになる。そのため、ｎ個全ての変調度データは使用せず、最初のｎｘ個（ｎｘは２以上ｎ以下の整数で、例えばｎ／５）の変調度データにより求めた変調度ばらつきを所定値Ｃｍとすることが望ましい。なお、最適な記録パワーに限らず、最適な記録パワーより低パワーで求めた変調度ばらつきの結果を適用しても良い。
【００５６】
次に、図１６は本発明の実施の形態における記録再生装置のブロック図である。
【００５７】
図１６において、１６０１は光ディスク、１６０２はスピンドルモータ、１６０３は光ヘッド、１６０４は記録手段、１６０５はレーザ駆動回路、１６０６は記録パルス生成回路、１６０７はトラック交替手段、１６０８は指標値検出手段、１６０９はデータ記憶手段、１６１０はデータ処理手段、１６１１は光ディスクコントローラである。
【００５８】
光ディスク１６０１は、図１で説明したものである。スピンドルモータ１６０２は、光ディスク１６０１を回転させる。光ヘッド１６０３は、光ディスク１６０１にレーザ光を照射し、光ディスク１６０１からの反射光を電気的に変換した再生信号を出力する。記録手段１６０４は、レーザ駆動回路１６０５と記録パルス生成回路１６０６により構成され、前記光ヘッド１６０３から照射されるレーザ光を制御し、前記光ディスク１６０１の記録トラックに記録信号を記録する。レーザ駆動回路１６０５は、光ヘッド１６０３から照射されるレーザ光のパワー制御を行う。記録パルス生成回路１６０６は、記録信号の変調データをパルス列から構成される光変調データに変換する。トラック交替手段１６０７は、記録トラックを交替させる。
【００５９】
指標値検出手段１６０８は、光ヘッド１６０３より出力された再生信号を信号処理して信号品質の指標値を出力する。前記信号品質の指標値とは、変調度、エラーレート、ジッタなどである。データ記憶手段１６０９は、指標値検出手段１６０８から出力される再生信号の指標値、光ディスクコントローラ１６１１から出力される記録パワー設置値や記録回数などのデータを記憶しておく。データ処理手段１６１０は、データ記憶手段１６０９に記憶されている指標値に対して平均値及びばらつきを算出する。光ディスクコントローラ１６１１は、装置全体をコントロールする。
【００６０】
光ディスクコントローラ１６１１が、光ディスク１６０１に対して変調度のばらつきがより安定している変調度及び記録パワーの範囲を決定する動作について説明する。なお、ここではオーバーライト回数ｎを探査する際に使用する指標値をエラーレート、変調度及び記録パワーの範囲を決定する際に使用する指標値を変調度、エラーレートに対する所定値Ｃｅ１及びＣｅ２、変調度に対する所定値Ｃｍとして説明する。そのため、図１６における所定値１は所定値Ｃｅ１、所定値２は所定値Ｃｅ２、所定値３は所定値Ｃｍを表している。各所定値は外部入力によって入力されても、データ記憶手段１６０９に記憶されていても良い。また、上記方法と同様に、エラーレートではなくジッタを使用しても良い。この場合、検出指標がエラーレートからジッタ、所定値がエラーレートに対する指標値Ｃｅ１及びＣｅ２からジッタに対する指標値Ｃｊ１及びＣｊ２と変更されるだけである。
【００６１】
はじめに、光ディスクコントローラ１６１１は、オーバーライト回数ｎを決定する。このとき使用する記録信号はランダム信号である。光ディスクコントローラ１６１１は、記録手段１６０４により記録トラックにランダム信号を記録させる。光ディスクコントローラ１６１１は、記録トラックの録再特性を検査するために、ランダム信号を１回記録した記録トラックを再生して得られる再生信号に対して、指標値検出手段１６０８によりエラーレートを検出させ、前記エラーレートの値と所定値Ｃｅ１を比較する。ここで、エラーレートの値が所定値Ｃｅ１以上であれば、トラック交替手段１６０７により記録トラックを交替させて、再度ランダム信号の記録再生を実施する。なお、ランダム信号の記録再生により検出されるエラーレートの値が所定値Ｃｅ１以下となるまで、記録トラックの交替は繰り返される。エラーレートの値が所定値Ｃｅ１以下となる記録トラックが存在した場合、光ディスクコントローラ１６１１は前記記録トラックに対して、検出したエラーレートが所定値Ｃｅ２以上となるまでランダム信号の記録再生を繰り返す。すなわち、所定値Ｃｅ２以上となるまでランダム信号の記録再生を繰り返した回数がオーバーライト回数ｎとなる。
【００６２】
次に、光ディスクコントローラ１６１１は、前記オーバーライト回数ｎを用いて変調度及び記録パワーの範囲を決定する。このとき使用する記録信号は８Ｔ単一信号であり、記録信号の切り替えは記録手段１６０４の記録パルス生成回路１６０６により行われる。また、記録トラックはオーバーライト回数ｎ探査時の使用した記録トラックとは異なる。
【００６３】
まず光ディスクコントローラ１６１１は、記録手段１６０４により記録トラックに最適な記録パワーで８Ｔ単一信号を記録させ、８Ｔ単一信号を記録した記録トラックを再生して指標値検出手段１６０８により変調度を検出する。このとき、検出された前記変調度、記録パワー、及び記録回数は、データ記憶手段１６０９に記憶される。さらに光ディスクコントローラ１６１１は、記録トラックを固定した状態で８Ｔ単一信号の記録再生をｎ回繰り返す。従って、８Ｔ単一信号の記録再生をｎ回繰り返した場合、最適な記録パワーに対する変調度のオーバーライト特性として、ｎ個の変調度データがデータ記憶手段１６０９に記憶される。また、光ディスクコントローラ１６１１は、データ記憶手段１６０９に記憶されているｎ個の変調度データに対して、データ処理手段１６１０により変調度の平均Ｍａｖｅ及びばらつきσｍ／Ｍａｖｅを算出する。前記変調度の平均Ｍａｖｅ及びばらつきσｍ／Ｍａｖｅもデータ記憶手段１６０９に記憶される。
【００６４】
続いて光ディスクコントローラ１６１１は、トラック交替手段１６０７により記録トラックを変更し、また同時に記録手段１６０４のレーザ駆動回路１６０５により記録パワーを低パワー側に変更する。変更された記録パワーにおいて、最適な記録パワーの場合と同様に記録トラックを固定した状態で８Ｔ単一信号の記録再生をｎ回繰り返す。このように、記録パワーを最適な記録パワーから低パワー側にｍ回（ｍは２以上の整数）順次減少させ、記録マークが形成されない記録パワーと判断されるまで、８Ｔ単一信号の記録再生を行う。従って、ｍ個の記録パワーに対して各々ｎ個の変調度データ、変調度の平均Ｍａｖｅ及びばらつきσｍ／Ｍａｖｅを取得することができる。なお、記録パワーの変更量としては、可能な限り小さいことが望ましく、例えば０．１ｍＷである。また、記録マークが形成されない記録パワーの判断としては、例えば未記録トラックを再生して検出される変調度と同じ変調度が検出された場合、あるいは記録パワーを変化させても５％以下の低い変調度が連続して検出された場合などである。
【００６５】
最後に、光ディスクコントローラ１６１１は、データ記憶手段１６０９に記憶されている変調度のばらつきσｍ／Ｍａｖｅが所定値Ｃｍ以下となる記録パワーの範囲を決定する。
【００６６】
このようにして、変調度のばらつきがより安定している記録パワー範囲を決定することができ、変調度の数値としては前記変調度の平均Ｍａｖｅとして決定することができる。
【００６７】
また、光ディスクコントローラ１６１１は、前記記録パワー範囲内から少なくとも１つ以上の記録パワー及び変調度Ｍａｖｅを選択することができる。記録パワーの選択方法は、例えば記録パワー範囲の上限パワーＰｍａｘ及び下限パワーＰｍｉｎとした場合、選択される記録パワーは前記上限パワーＰｍａｘと前記下限パワーＰｍｉｎの平均パワー値とし、前記平均パワー値で記録再生される変調度ＭａｖｅをＭｉｎｄとする。なお、平均パワー値による変調度Ｍａｖｅが検出されていない場合は、平均パワー値の上下で、かつ最も平均パワー値に近接する記録パワー及び変調度Ｍａｖｅのデータにより、変調度Ｍａｖｅを近似計算することも可能である。
【００６８】
以上の構成により、オーバーライト回数による変調度ばらつきが少ない変調度範囲を決定することができ、ＯＰＣ動作によって得られる記録パワーの収束性を向上させることができる。
【００６９】
本実施の形態では、ＢＤ−ＲＥの単層に関して説明したが、２層に対しても適用可能である。また、本実施の形態は書き換え可能な光ディスクであれば良く、ＢＤ−ＲＥ以外の光ディスク（ＣＤやＤＶＤなど）に対しても適用可能である。さらに、本実施の形態ではグルーブ記録に関して説明したが、ランド記録を行う光ディスクに対しても本実施の形態は適用可能である。
【００７０】
本実施の形態では、８Ｔ単一信号の記録再生をｎ回繰り返した後、変調度の平均Ｍａｖｅ及びばらつきσｍ／Ｍａｖｅを算出し、記録パワーを変更させたが、先に各記録パワーに対する変調度データのみを取得し、最後に各記録パワーに対する平均Ｍａｖｅ及びばらつきσｍ／Ｍａｖｅを算出しても良い。
【００７１】
本実施の形態では、ｍ個の記録パワーに対して各々別の記録トラックを使用したが、記録トラック１周を細分化された領域（例えばトラック１周をｍ個に分割）を使用しても構わない。
【００７２】
なお、本実施の形態における所定値Ｃｅ１またはＣｊ１は請求項記載の所定値Ｃｂ２、所定値Ｃｅ２またはＣｊ２は請求項記載の所定値Ｃｂ１、所定値Ｃｍは請求項記載の所定値Ｃａに対応する。
【００７３】
最後に、本実施の形態ではオーバーライト回数に対して変調度のばらつきが少ない記録パワー範囲を決定した説明を行ったが、オーバーライト回数によりアシンメトリが変化する光ディスクに対しても適用可能である。図１７にオーバーライト回数によりアシンメトリが変化する説明図を示す。図１７（ａ）はアシンメトリ変化前、図１７（ｂ）はアシンメトリ変化後における８Ｔ信号及び２Ｔ信号の再生信号である。図１７において、Ｖｒｅｆ１７０１は光ディスクからの反射光量が全くない状態での信号レベルであり、アシンメトリを算出する際の基準レベルとなる。また、Ｖ８Ｈ１７０２は前記Ｖｒｅｆ１７０１からの８Ｔ信号の最大値、Ｖ８Ｌ１７０３は前記Ｖｒｅｆ１７０１からの８Ｔ信号の最小値、Ｖ２Ｈ１７０４は前記Ｖｒｅｆ１７０１からの２Ｔ信号の最大値、Ｖ２Ｌ１７０５は前記Ｖｒｅｆ１７０１からの２Ｔ信号の最小値である。このとき、アシンメトリＡｓｙｍは（式３）により求められる。
【００７４】
Ａｓｙｍ＝｛（Ｖ８Ｈ＋Ｖ８Ｌ）／２−（Ｖ２Ｈ＋Ｖ２Ｌ）／２｝／（Ｖ８Ｈ−Ｖ８Ｌ）・・・（式３）
図１７では、オーバーライト回数による再生信号の変化が、８Ｔ信号よりも２Ｔ信号の方が大きい場合を表している。そのため、図１７（ａ）と図１７（ｂ）では、８Ｔ信号レベルの最大値及び最小値は変化せず、２Ｔ信号レベルが全体的に変化している。８Ｔマークは最長マーク、２Ｔマークは最短マークであるため、オーバーライトにより記録マーク長が各マークで同量だけ大きくなる場合（例えばマーク始終端部におけるマークの広がりが同じである場合）では、８Ｔ信号よりも２Ｔ信号のレベル変化が大きい。その結果、２Ｔ信号の振幅中心レベルが変化して、（式３）により求まるアシンメトリが変化することが起こり得るからである。
【００７５】
本実施の形態における変調度では、少なくとも最長マークの８Ｔ信号を含む記録信号を各記録パワーに対して記録したことに対して、アシンメトリでは少なくとも最短マークの２Ｔ信号、及び最長マークの８Ｔ信号を含むランダム信号または特定パターン（例えば２Ｔ、８Ｔ信号の繰り返しパターン）を記録する。各記録パワーにおいてオーバーライト回数ｎに対するアシンメトリデータを検出して、各記録パワーに対するアシンメトリのばらつきを求める。なお、アシンメトリにおけるばらつきは、ｎ個のアシンメトリデータにより求まる標準偏差σａを使用する。変調度同様に、アシンメトリのばらつきをσａ／Ａａｖｅ（Ａａｖｅはアシンメトリの平均値）とすると、アシンメトリが少ないほど、すなわちアシンメトリの平均値Ａａｖｅが０に近づくほどにσａ／Ａａｖｅの算出結果が大きくなるためである。最後に、変調度の場合と同様に、アシンメトリ用の所定値Ｃａｙｍ以下となる記録パワーの範囲を決定すれば良い。
【００７６】
このように、オーバーライトによりアシンメトリが変化する場合に関しても、本実施の形態は適用可能である。同様に、オーバーライトにより変化する他の指標値（例えばＢＤ−Ｒ規格書記載のβ値など）に関しても、本実施の形態を適用しても構わない。
【００７７】
なお、本実施の形態における再生信号の信号品質を表す指標値Ｂはジッタまたはエラーレート、指標値Ａは変調度またはアシンメトリに対応する。従って、指標値Ａに対する所定値は所定値Ｃａ、指標値Ｂに対する所定値は所定値Ｃｂ１及びＣｂ２となる。
【産業上の利用可能性】
【００７８】
本発明は、レーザ光や電磁力などによってデータ信号の書き換えを行う種々の情報記録媒体、例えばＤＶＤ−ＲＡＭやＢＤ−ＲＥやその他の情報記録媒体において、前記情報記録媒体内に記載される一部の情報の決定段階に利用でき、また前記情報記録媒体に対して記録あるいは再生を行う記録再生装置、例えばＤＶＤドライブやＤＶＤレコーダーやその他の機器において、記録再生条件の調整段階に利用するなどその他の用途に対しても適用できる。
【図面の簡単な説明】
【００７９】
【図１】本実施の形態における光ディスクを構成する領域の説明図
【図２】本実施の形態における記録パワーに対する変調度特性を示す図
【図３】本実施の形態における変調度の説明図
【図４】本実施の形態におけるオーバーライト回数による変調度変化の説明図
【図５】本実施の形態における記録パルス波形及び記録パワーの説明図
【図６】本実施の形態におけるオーバーライト特性によるエラーレートの変化例の説明図
【図７】本実施の形態におけるオーバーライト特性の影響を受けない状態でのＲＦ信号の説明図
【図８】本実施の形態におけるオーバーライト特性の影響を受けた状態でのＲＦ信号の説明図
【図９】本実施の形態における記録パワーと変調度のばらつきの関係を表す図
【図１０】本実施の形態における低パワーで記録されたトラックを再生したＲＦ信号の説明図
【図１１】本実施の形態におけるエラーレートによるオーバーライト回数ｎの探査動作を表すフロー図
【図１２】本実施の形態におけるオーバーライト特性によるエラーレートの変化例と所定値との関係の説明図
【図１３】本実施の形態におけるジッタによるオーバーライト回数ｎの探査動作を表すフロー図
【図１４】本実施の形態における記録パワー範囲の探査動作を表す図
【図１５】本実施の形態における変調度のばらつきと所定値との関係の説明図
【図１６】本実施の形態における記録再生装置のブロック図
【図１７】本実施の形態におけるオーバーライト回数によるアシンメトリ変化の説明図
【符号の説明】
【００８０】
１００    光ディスク
１０１    ユーザデータ領域
１０２    ＰＣＡ領域
１０３    ＰＩＣ領域
１０４    ドライブ固有情報格納領域
３０１    基準レベル
３０２    ＲＦ信号の最大値
３０３    ＲＦ信号の最小値
５０１    加熱Ｐｐパワー
５０２    消去Ｐｅパワー
５０３    冷却Ｐｂパワー
５０４    消光レベル
６０１    最適パワー時のオーバーライト特性
６０２    高出力パワー時のオーバーライト特性
９０１    ノイズの影響による変調度ばらつきの変化
９０２    オーバーライト特性の影響による変調度ばらつきの変化
９０３    ノイズ及びオーバーライト特性の影響による変調度ばらつきの変化
１６０１    光ディスク
１６０２    スピンドルモータ
１６０３    光ヘッド
１６０４    記録手段
１６０５    レーザ駆動回路
１６０６    記録パルス生成回路
１６０７    トラック交替手段
１６０８    指標値検出手段
１６０９    データ記憶手段
１６１０    データ処理手段
１６１１    光ディスクコントローラ
１７０１    基準レベル
１７０２    ８Ｔ信号の最大値
１７０３    ８Ｔ信号の最小値
１７０４    ２Ｔ信号の最大値
１７０５    ２Ｔ信号の最小値
【図１】
2007172693.tif 000003
【図２】
2007172693.tif 000004
【図３】
2007172693.tif 000005
【図４】
2007172693.tif 000006
【図５】
2007172693.tif 000007
【図６】
2007172693.tif 000008
【図７】
2007172693.tif 000009
【図８】
2007172693.tif 000010
【図９】
2007172693.tif 000011
【図１０】
2007172693.tif 000012
【図１１】
2007172693.tif 000013
【図１２】
2007172693.tif 000014
【図１３】
2007172693.tif 000015
【図１４】
2007172693.tif 000016
【図１５】
2007172693.tif 000017
【図１６】
2007172693.tif 000018
【図１７】
2007172693.tif 000019